(57)【要約】【課題】  ロックを解除する等複雑な作業なく上部カバーを開閉でき、さらに、開放状態の上部カバーが急激に閉作動しても、これを全閉状態の手前で確実に止めることで、安全性の高い上部カバーを提供する。【解決手段】  本体１に上下に開閉可能に上部カバー２の支点を支持し、前記カバー２を開閉することによりシート搬送路の用紙Ｐが除去可能に構成された上部カバー２に於いて、ストッパー機構３により、前記上部カバー２を閉じた時に全閉位置の手前でカバーが停止し、前記上部カバー２を押圧することにより全閉状態にする。【選択図】      図５
2006089165.tif 000002
【特許請求の範囲】
【請求項１】
本体に上下に開閉可能にカバーの支点を支持し、前記カバーを開閉することによりシート搬送路の用紙が除去可能に構成された上部カバーに於いて、
前記上部カバーを閉じた時に全閉位置の手前でカバーが停止し、前記上部カバーを押圧することにより全閉状態にする
ことを特徴とする上部カバー。
【請求項２】
請求項１に記載の上部カバーに於いて、
前記上部カバーは、本体と上部カバーとの間に設けたストッパ機構で停止させ、
前記ストッパ機構は上部カバーを開く方向に作用させるスプリングコイルと本体上面部材へ接触した時に本体上部材との間で摺動する摺動部材を設け、
全閉状態では前記スプリングコイルと摺動部が一直線に近い状態になり、スプリングコイルの上部カバーを開く方向に作用する力を小さくし、全閉状態を維持する
ことを特徴とする上部カバー。
【請求項３】
複数の搬送部材によりシートを挟持しながら搬送する構成を備えたシート搬送装置であって、前記シート搬送装置本体に上下に開閉可能にカバーの支点を支持し、前記カバーを開閉することによりシート搬送路の用紙が除去可能に構成された上部カバーを備えるシート搬送装置に於いて、
前記シート搬送装置は、上部カバーを閉じた時に全閉位置の手前でカバーが停止し、前記上部カバーを押圧することにより全閉状態にする
ことを特徴とするシート搬送装置。
【請求項４】
請求項３に記載のシート搬送装置に於いて、
前記上部カバーは、本体と上部カバーとの間に設けたストッパ機構で停止させ、
前記ストッパ機構は上部カバーを開く方向に作用させるスプリングコイルと本体上面部材へ接触した時に本体上部材との間で摺動する摺動部材を設け、
全閉状態では前記スプリングコイルと摺動部が一直線に近い状態になり、スプリングコイルの上部カバーを開く方向に作用する力を小さくし、全閉状態を維持する
ことを特徴とするシート搬送装置。
【請求項５】
複数の搬送部材によりシートを挟持しながら搬送する途中で、シートの画像を読みとる読取装置を備える画像形成装置であって、
上下に開閉可能にカバーの支点を支持し、前記カバーを開閉することによりシート搬送路の用紙が除去可能に構成された上部カバーを備える読取装置を備える画像形成装置に於いて、
前記読取装置は、上部カバーを閉じた時に全閉位置の手前でカバーが停止し、前記上部カバーを押圧することにより全閉状態にする
ことを特徴とする画像形成装置。
【請求項６】
請求項５に記載の画像形成装置に於いて、
前記上部カバーは、本体と上部カバーとの間に設けたストッパ機構で停止させ、
前記ストッパ機構は上部カバーを開く方向に作用させるスプリングコイルと本体上面部材へ接触した時に本体上部材との間で摺動する摺動部材を設け、
全閉状態では前記スプリングコイルと摺動部が一直線に近い状態になり、スプリングコイルの上部カバーを開く方向に作用する力を小さくし、全閉状態を維持する
ことを特徴とする画像形成装置。
【発明の詳細な説明】
【技術分野】
【０００１】
本発明は、装置本体の上部に設けられる開閉可能な上部カバー、この装置本体がシートを搬送するシート搬送装置、および、複写機、ファクシミリ、プリンター等の静電複写プロセスによる画像形成に用いられる画像形成装置に関するものである。
【背景技術】
【０００２】
画像形成装置、シート搬送装置、原稿読取装置等では、上部カバーは、原稿ＪＡＭや、メンテナンス時などに開放状態にする。しかし、上部カバーは開放状態から閉まる方向に力がかかると急に閉まってしまい、手を挟む等危険である。このような事態の発生を防止するために、２つ以上の部品の組み合わせによってロック、アンロックすることで、動きを規制することも考えられるが、ロックを解除する複雑な作業が必要になる。
また、このときに、２つ以上の部品の組み合わせによってロック、アンロックすることで、動きを規制する場合、複雑な構造が必要になり、コストアップにつながるという問題がある。
【０００３】
これらの問題を改善するために、例えば、特許文献１では、一方にロックピン、他方に凹部やフック部等を持ち、開放状態を維持する場合ロックピンは凹部に係止され、閉塞状態を維持する場合ロックピンはフック部に係止されて固定されている機構で、カバーの開放状態、閉塞状態を維持する。しかし、この開示技術では、ロックピンには連動するロックレバー等が設けられ、開放状態、閉塞状態を解除する場合、ロックピンを解除する方向にロックレバーを動かす必要がある。
【０００４】
【特許文献１】特開平１１−１０６０８５号公報
【発明の開示】
【発明が解決しようとする課題】
【０００５】
そこで、本発明は上記問題点に鑑みてなされたものであり、その課題は、ロックを解除する等複雑な作業なく上部カバーを開閉でき、さらに、開放状態の上部カバーが急激に閉作動しても、これを全閉状態の手前で確実に止めることで、安全性の高い上部カバー、シート搬送装置及び画像形成装置を提供するものである。
【課題を解決するための手段】
【０００６】
上記課題を解決する手段である本発明の特徴を以下に挙げる。
１．本発明の上部カバーは、本体に上下に開閉可能にカバーの支点を支持し、前記カバーを開閉することによりシート搬送路の用紙が除去可能に構成された上部カバーに於いて、前記上部カバーを閉じた時に全閉位置の手前でカバーが停止し、前記上部カバーを押圧することにより全閉状態にすることを特徴とする。
２．また、本発明の上部カバーは、さらに、本体と上部カバーとの間に設けたストッパ機構で停止させ、前記ストッパ機構は上部カバーを開く方向に作用させるスプリングコイルと本体上面部材へ接触した時に本体上部材との間で摺動する摺動部材を設け、全閉状態では前記スプリングコイルと摺動部が一直線に近い状態になり、スプリングコイルの上部カバーを開く方向に作用する力を小さくし、全閉状態を維持することを特徴とする。
【０００７】
３．本発明のシート搬送装置は、複数の搬送部材によりシートを挟持しながら搬送する構成を備えたシート搬送装置であって、前記シート搬送装置本体に上下に開閉可能にカバーの支点を支持し、前記カバーを開閉することによりシート搬送路の用紙が除去可能に構成された上部カバーを備えるシート搬送装置に於いて、前記シート搬送装置は、上部カバーを閉じた時に全閉位置の手前でカバーが停止し、前記上部カバーを押圧することにより全閉状態にすることを特徴とする。
４．また、本発明のシート搬送装置は、さらに、前記上部カバーは、本体と上部カバーとの間に設けたストッパ機構で停止させ、前記ストッパ機構は上部カバーを開く方向に作用させるスプリングコイルと本体上面部材へ接触した時に本体上部材との間で摺動する摺動部材を設け、全閉状態では前記スプリングコイルと摺動部が一直線に近い状態になり、スプリングコイルの上部カバーを開く方向に作用する力を小さくし、全閉状態を維持することを特徴とする。
【０００８】
５．本発明の画像形成装置は、複数の搬送部材によりシートを挟持しながら搬送する途中で、シートの画像を読みとる読取装置を備える画像形成装置であって、
上下に開閉可能にカバーの支点を支持し、前記カバーを開閉することによりシート搬送路の用紙が除去可能に構成された上部カバーを備える読取装置を備える画像形成装置に於いて、前記読取装置は、上部カバーを閉じた時に全閉位置の手前でカバーが停止し、前記上部カバーを押圧することにより全閉状態にすることを特徴とする。
６．また、本発明の画像形成装置は、さらに、前記上部カバーは、本体と上部カバーとの間に設けたストッパ機構で停止させ、前記ストッパ機構は上部カバーを開く方向に作用させるスプリングコイルと本体上面部材へ接触した時に本体上部材との間で摺動する摺動部材を設け、全閉状態では前記スプリングコイルと摺動部が一直線に近い状態になり、スプリングコイルの上部カバーを開く方向に作用する力を小さくし、全閉状態を維持することを特徴とする。
【発明の効果】
【０００９】
本発明は、上記解決するための手段によって、開放状態の上部カバーが急に閉まっても、停止機構が本体上部材に接触することで全閉位置の手前で止まるので、本体と上部カバーの間に手を挟まれるようなことが防止できる。また、上部カバーを押圧することにより、全閉状態を維持し、ロックを解除する等複雑な作業なく上部カバーを開閉できるので、通常の作業で上部カバーを開閉する場合に何ら支障をきたすことはない。さらに、ストッパ機構は上部カバーを開く方向に作用させるスプリングと本体上面部材へ接触した時に本体上部との間で摺動する摺動部材を設けたことで、部品点数を減らし、コストダウンできる。
【発明を実施するための最良の形態】
【００１０】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１１】
図１は、この発明のシート搬送装置の構成を示す概略図である。このシート搬送装置には、原稿テーブル（原稿載置台）１０、下ガイド板（前）１１、下ガイド板（後）１２、前駆動ローラ１３、前従動ローラ１４、後駆動ローラ１５、後従動ローラ１６、読取部１７、感光ドラム１８、白色ガイド板（露光ガイド板）１９、コンタクトガラス２０とを備え、原稿テーブル１０に載置された原稿Pが操作者によって挿入され、原稿のシートPは下ガイド板（前）１１によって前駆動ローラ１３と前従動ローラ１４のニップ部へガイドされ、コンタクトガラス２０の下方に位置する読取部１７で画像面を読み取られ、読み取り後、下ガイド板（後）１２によって後駆動ローラ１５と後従動ローラ１６のニップ部へガイドされ、排紙搬送される。
【００１２】
また、図３、図３、図４は、このストッパー機構の動作状態を示す概略図である。本体１の上部を閉塞する上部カバー２が、本体１に対して上下に開閉可能に支持されたものである。上記上部カバー２にはストッパ機構３が設けられている。このストッパ機構３は図４に示すように、ブラケット４、摺動部５、軸６、スプリングコイル７からできていて、ブラケット４は上部カバー２に固定されている。また、摺動部５はブラケット４に回転可能に設けられた軸６を中心に回動することができ、摺動部５の側面８によって、右方向への回動を規制している。
【００１３】
図５は、このストッパー機構の動作状態を説明する模式図である。
図２に示す開放時では、図５のようにストッパ機構３のスプリングコイル７は縮んだ状態になっている。図３に示すように、上部カバー２が急に閉まった時に、摺動部５が本体上面９に当たることで、全閉状態の手前で止まるようになっている。図３の状態から、さらに上部カバー２が閉まる方向に力をかけると、摺動部５は左方向に回動し、スプリングコイル７は少しずつ伸びていき、上部カバー２は、図４に示すように、全閉状態になる。図４の状態で、ストッパ機構３の摺動部５とスプリングコイル７は一直線に近い状態になり、スプリングコイル７の上部カバー２を開く方向に作用する力を小さくし、上部カバー２は全閉状態を維持することができる。上部カバー２を開放状態にすると、スプリングコイル７によりストッパ機構３は図５の状態に戻る。
【００１４】
したがって、上記実施形態によれば、図２に示すような開放状態にある上部カバー２が作業中などに突然閉じた場合であっても、上部カバー２は、図３に示すような全閉位置の手前で閉作動を止められるため、作業者が本体１と上部カバー２との間に手を挟まれることはなくなる。また、簡単な構成のストッパ機構３を設けるだけでよいため、低コストで対策でき、既存の複写機に取り付けることができる。また、全閉状態図３でもストッパ機構３は上部カバーの動きをロックすることはないので、複雑な作業なく上部カバー２を開閉できる。そして、ストッパ機構３の取り付け位置を変更したりすることで、上部カバー２が止まる角度を変更できるため設計の自由度が高められる。尚、この発明は上記実施形態に限られるものではなく、例えば、ストッパ機構３を上部カバー２に設けたが、ストッパ機構３を本体１に設けることができる。
【図面の簡単な説明】
【００１５】
【図１】この発明のシート搬送装置の構成を示す概略図である。
【図２】このストッパー機構の動作状態を示す概略図である。
【図３】このストッパー機構の動作状態を示す概略図である。
【図４】このストッパー機構の動作状態を示す概略図である。
【図５】このストッパー機構の動作状態を説明する模式図である。
【符号の説明】
【００１６】
１  本体
２  上部カバー
３  ストッパー機構
４  ブラケット
５  摺動部
６  軸
７  スプリングコイル
８  側面
１０  原稿テーブル
１１  下ガイド板（前）
１２  下ガイド板（後）
１３  前駆動ローラ
１４  前従動ローラ
１５  後駆動ローラ
１６  後従動ローラ
１７  読取部
１８  感光ドラム
１９  白色ガイド板（露光ガイド板）
２０  コンタクトガラス
【図１】
2006089165.tif 000003
【図２】
2006089165.tif 000004
【図３】
2006089165.tif 000005
【図４】
2006089165.tif 000006
【図５】
2006089165.tif 000007